(57)【要約】【課題】ネットワークスライスインスタンス(NSI)を識別するとともに、ネットワーク機能をNSIと関連付ける方法を得る。【解決手段】一実施形態では、ネットワーク機能を移動無線通信ネットワークのNSIと関連付ける方法は、スライス管理機能(NSMF)が、オペレーション運営及び管理(OAM)用のNSIの識別子を生成するステップであって、移動無線通信ネットワークが、コアネットワーク及びOAMを備え、OAMが、コアネットワーク中のネットワーク機能とのインターフェースを有するNSMFを含み、ネットワーク機能が、通信サービスを移動端末に提供し、コアネットワークが、ネットワーク機能と移動無線通信ネットワークのNSIとの関係を維持するネットワーク保存機能(NRF)をさらに含む当該ステップと、NSMF又はNRFが、１つ又は複数のネットワーク機能に対して、それぞれのNSIとの関係を通知するステップと、を含む。【選択図】図１４
2019521533.tif 000002
【特許請求の範囲】
【請求項１】
ネットワーク機能を移動無線通信ネットワークのネットワークスライスインスタンスと関連付ける方法であって、
ネットワークスライス管理機能（ＮＳＭＦ）が、オペレーション運営及び管理（ＯＡＭ）用の前記ネットワークスライスインスタンス（ＮＳＩ）の識別子を生成するステップであって、前記移動無線通信ネットワークが、コアネットワーク、並びにオペレーション運営及び管理システムを備え、前記オペレーション運営及び管理システムが、前記コアネットワーク中のネットワーク機能とのインターフェースを有する少なくとも前記ネットワークスライス管理機能を含み、前記ネットワーク機能が、通信サービスを移動端末に提供し、前記コアネットワークが、前記ネットワーク機能と前記移動無線通信ネットワークのネットワークスライスインスタンスとの関係を維持するネットワーク保存機能（ＮＲＦ）をさらに含む、当該ステップと、
前記ネットワークスライス管理機能又は前記ネットワーク保存機能が、１つ又は複数のネットワーク機能に対し、それぞれのネットワーク機能と前記ネットワークスライスインスタンスとの関係を通知するステップと、
を含む、方法。
【請求項２】
前記識別子が、前記コアネットワーク並びに前記オペレーション運営及び管理システムとの間で共有される識別子であり、前記ネットワークスライス管理機能が、生成された前記識別子によって、前記ネットワーク機能のうちの前記１つ又は複数に対し、それぞれのネットワーク機能と前記ネットワークスライスインスタンスとの関係を通知する、請求項１に記載の方法。
【請求項３】
ネットワーク保存機能が、前記ネットワークスライスインスタンスの第２の識別子を生成し、前記第２の識別子によって、前記ネットワーク機能のうちの前記１つ又は複数に対し、それぞれのネットワーク機能と前記ネットワークスライスインスタンスとの関係を通知する、請求項１に記載の方法。
【請求項４】
前記第２の識別子が、前記ネットワークスライスインスタンスのコアネットワークドメイン識別子である、請求項３に記載の方法。
【請求項５】
前記ネットワーク保存機能が、前記識別子及び前記第２の識別子についての関係を維持する、請求項３又は４に記載の方法。
【請求項６】
前記ネットワーク保存機能が、前記１つ又は複数のネットワーク機能と前記第２の識別子との関係を登録する、請求項３〜５のいずれか一項に記載の方法。
【請求項７】
前記ネットワークスライス管理機能が、前記ネットワーク保存機能に対し、前記１つ又は複数のネットワーク機能と前記ネットワークスライスインスタンスとの前記関係を通知する、請求項１〜６のいずれか一項に記載の方法。
【請求項８】
前記ネットワークスライス管理機能が、前記ネットワーク保存機能に対し、前記ネットワークスライスインスタンスの前記識別子を通知する、請求項１〜７のいずれか一項に記載の方法。
【請求項９】
前記方法は、
前記１つ又は複数のネットワーク機能が、前記ネットワーク保存機能に対し、それぞれのネットワーク機能の可用性及び能力を通知するステップ、
を含む、請求項１〜８のいずれか一項に記載の方法。
【請求項１０】
前記ネットワーク保存機能が、前記１つ又は複数のネットワーク機能と前記識別子との関係を登録する、請求項１〜９のいずれか一項に記載の方法。
【請求項１１】
前記方法は、
１つ又は複数のネットワーク機能のうちの少なくとも２つの間、前記ネットワークスライス管理機能と前記ネットワーク保存機能との間、前記ネットワークスライス管理機能とアクセス及びモビリティ管理機能（ＡＭＦ）との間、前記ネットワークスライス管理機能とセッション管理機能（ＳＭＦ）との間、又は、前記ネットワーク保存機能とアクセス及びモビリティ管理機能との間で、公衆地上移動ネットワーク識別情報を交換するステップ、
をさらに含む、請求項１〜１０のいずれか一項に記載の方法。
【請求項１２】
前記ネットワークスライス管理機能が、前記ネットワークスライスインスタンスの複数の識別子を生成し、前記１つ又は複数のネットワーク機能が、複数のネットワーク機能群を含み、前記複数のネットワーク機能群の各々が、前記複数の識別子のうちの１つの識別子と関連付けられた、請求項１〜１１のいずれか一項に記載の方法。
【請求項１３】
前記ネットワークスライス管理機能が、同じく１つ又は複数のネットワーク機能から成るネットワークスライスインスタンスのサブネットを管理する１つ又は複数のネットワークスライスサブネット管理機能、にさらに分割された、請求項１〜１２のいずれか一項に記載の方法。
【請求項１４】
前記ネットワークスライスサブネット管理機能が、ネットワークスライスサブネットワーク識別子を生成可能であり、前記ネットワークスライスサブネットワーク内に存在する前記ネットワーク機能が、明示的なシグナリング又は前記ネットワークスライスインスタンスのインスタンス化時の設定によって、設定される、請求項１３に記載の方法。
【請求項１５】
前記ネットワーク保存機能が、グローバルネットワーク保存機能であり、前記ネットワークスライスインスタンスが、単一のネットワークスライスインスタンス固有のネットワーク保存機能を有し、前記１つ又は複数のネットワーク機能が、前記ネットワークスライスインスタンスのネットワーク保存機能の通知によって、それぞれのネットワーク機能と前記ネットワークスライスインスタンスとの関係が通知される、請求項１〜１４のいずれか一項に記載の方法。
【発明の詳細な説明】
【技術分野】
【０００１】
本開示は、ネットワーク機能を移動無線通信ネットワークのネットワークスライスインスタンスと関連付ける通信方法に関する。
【背景技術】
【０００２】
移動無線通信ネットワークのコアネットワークにおいては、例えば異なるユーザクラス（例えば、通常ユーザ及び特別ユーザ）への対応又は負荷分散（すなわち、単一のネットワークスライスの過負荷の回避）のため、複数のコアネットワークスライスインスタンスを有するのが望ましい場合がある。ネットワークスライスインスタンスは、同じ顧客（例えば、通信サービスプロバイダ（例えば、ビデオストリームサービス））に提供される場合があるため、同じスライスサービスタイプ（ＳＳＴ：Ｓｌｉｃｅ  Ｓｅｒｖｉｃｅ  Ｔｙｐｅ）（例えば、ｅＭＢＢ（モバイルブロードバンド））及び同じスライスディファレンシエータ（ＳＤ：Ｓｌｉｃｅ  Ｄｉｆｆｅｒｅｎｔｉａｔｏｒ）（例えば、顧客の識別情報（例えば、企業の名称又は識別情報））で設定される場合がある。また、顧客との合意（例えば、サービスに特定の製造業者のコンポーネントが提供されることを顧客が求めている事実）によって、特定のＵＥ（ユーザ装置）に特定のネットワークスライスが必要となる場合もある。ただし、例えば異なる顧客群を区別するのにオペレータがネットワークスライスインスタンスに対して異なるスライスディファレンシエータを使わない限り、スライスサービスタイプ及びスライスディファレンシエータでは、ネットワークスライス選択機能がＵＥを複数のネットワークスライスの適当なネットワークスライスインスタンスへとルーティングするのに十分ではない。
【発明の概要】
【０００３】
したがって、ネットワークスライスインスタンスを識別するとともに、ネットワーク機能をネットワークスライスインスタンスと関連付ける手法が望ましい。
【０００４】
一実施形態によれば、ネットワーク機能を移動無線通信ネットワークのネットワークスライスインスタンスと関連付ける方法であって、ネットワークスライス管理機能（ＮＳＭＦ：Ｎｅｔｗｏｒｋ  Ｓｌｉｃｅ  Ｍａｎａｇｅｍｅｎｔ  Ｆｕｎｃｔｉｏｎ）が、オペレーション運営及び管理（ＯＡＭ：Ｏｐｅｒａｔｉｏｎｓ  Ａｄｍｉｎｉｓｔｒａｔｉｏｎ  ａｎｄ  Ｍａｎａｇｅｍｅｎｔ）用のネットワークスライスインスタンス（ＮＳＩ）の識別子を生成するステップであり、移動無線通信ネットワークが、コアネットワーク及びＯＡＭシステムを備え、ＯＡＭシステムが、コアネットワーク中のネットワーク機能とのインターフェースを有する少なくともＮＳＭＦを含み、ネットワーク機能が、通信サービスを移動端末に提供し、コアネットワークが、ネットワーク機能と移動無線通信ネットワークのネットワークスライスインスタンスとの関係を維持するネットワーク保存機能（ＮＲＦ：Ｎｅｔｗｏｒｋ  Ｒｅｐｏｓｉｔｏｒｙ  Ｆｕｎｃｔｉｏｎ）をさらに含む、ステップと、ＮＳＭＦ又はＮＲＦが、ネットワーク機能のうちの１つ又は複数のネットワーク機能に対して、それぞれのネットワークスライスインスタンスとの関係を通知するステップと、を含む、方法が提供される。
【０００５】
図面中、異なる図全体を通して、同様の参照符号は、同じ部分を大略表す。図面は、必ずしも縮尺通りではなく、本発明の原理の説明に際しては、一般的に強調を施している。以下の説明においては、以下の図面を参照して種々態様を記載する。
【図面の簡単な説明】
【０００６】
【図１】無線通信システムを示した図である。
【図２】複数のコアネットワークスライスインスタンスを備えた通信システムを示した図である。
【図３】１つ又は複数のネットワーク機能に対して、それぞれのネットワークスライスインスタンスを通知する手法を示した流れ図である。
【図４】別のネットワークスライスインスタンスが生成された場合の図３のフローの続きを示した流れ図である。
【図５】より詳細な図３及び図４のフローの一例を示した図である。
【図６】より詳細な図３及び図４のフローの別の例を示した図である。
【図７】１つ又は複数のネットワーク機能に対して、それぞれのネットワークスライスインスタンスを通知する手法であり、ＣＮ（コアネットワーク）ドメイン及びＯＡＭ（オペレーション運営及び管理）ドメインが、ネットワークスライスインスタンスの同じ識別情報を使用する、手法を示した流れ図である。
【図８】別のネットワークスライスインスタンスが生成された場合の図７のフローの続きを示した流れ図である。
【図９】より詳細な図７及び図８のフローの一例を示した図である。
【図１０】より詳細な図７及び図８のフローの別の例を示した図である。
【図１１】複数のネットワークスライスインスタンス間でのネットワーク機能の共有を示した図である。
【図１２】階層ＮＲＦを有するアーキテクチャにおける上述の手法の適用を示した流れ図である。
【図１３】オペレーションサポートシステム（ＯＳＳ：Ｏｐｅｒａｔｉｏｎｓ  Ｓｕｐｐｏｒｔ  Ｓｙｓｔｅｍ）／ビジネスサポートシステム（ＢＳＳ：Ｂｕｓｉｎｅｓｓ  Ｓｕｐｐｏｒｔ  Ｓｙｓｔｅｍ）を示した図である。
【図１４】ネットワーク機能を移動無線通信ネットワークのネットワークスライスインスタンスと関連付ける方法を示した流れ図である。
【発明を実施するための形態】
【０００７】
以下の詳細な説明では、本発明を実施可能な本開示の特定の詳細及び態様を一例として示す添付の図面を参照する。本発明の範囲から逸脱することなく、他の態様を利用可能であるとともに、構造的、論理的、及び電気的な変更が可能である。本開示のいくつかの態様を本開示の１つ又は複数の他の態様と組み合わせて新しい態様を構成可能であることから、本開示の種々態様は、必ずしも相互排他的ではない。
【０００８】
図１は、無線通信システム１００を示している。
【０００９】
無線通信システム１００は、ＵＥ（ユーザ装置）等の無線通信端末機器１０２及びナノ装置（ＮＥ）等を具備する。
【００１０】
さらに、無線通信システム１００は、５Ｇ（第５世代）無線アクセス技術（５Ｇ  Ｎｅｗ  Ｒａｄｉｏ）に従って無線アクセスを提供するように構成された複数の無線アクセスネットワークノードすなわち基地局を具備し得る無線アクセスネットワーク１０３を具備する。無線通信システム１００は、ＬＴＥ（ロングタームエボリューション）又は別の移動無線通信規格に従って構成されていてもよいが、本明細書においては、一例として５Ｇを使用することに留意するものとする。各無線アクセスネットワークノードは、無線インターフェース１０４を介して無線通信端末機器１０２との無線通信を提供するようにしてもよい。無線アクセスネットワーク１０３は、任意数の無線アクセスネットワークノードを含んでいてもよいことに留意するものとする。
【００１１】
無線通信システム１００は、ＵＰＦ（ユーザプレーン機能）１０５を含み、ＲＡＮ１０３に接続されたコアネットワーク１０９と、ＲＡＮ１０３に接続されたアクセス及びモビリティ管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）１０６と、セッション管理機能（ＳＭＦ：Ｓｅｓｓｉｏｎ  Ｍａｎａｇｅｍｅｎｔ  Ｆｕｎｃｔｉｏｎ）１０７と、統合データ管理（ＵＤＭ：Ｕｎｉｆｉｅｄ  Ｄａｔａ  Ｍａｎａｇｅｍｅｎｔ）１０８とをさらに具備していてもよい。
【００１２】
オペレータがコアネットワーク１０９の複数のネットワークスライスインスタンスを生成するようにしてもよい。これを図２に示す。
【００１３】
図２は、通信システム２００を示している。
【００１４】
通信システム２００は、コアネットワーク２０４（例えば、コアネットワーク１０９に対応）に接続された（例えば、５Ｇの）ＲＡＮ２０３（例えば、ＲＡＮ１０３に対応）と通信可能な複数組のＵＥ２０１、２０２を具備する。
【００１５】
コアネットワーク２０４は、第１のコアネットワークインスタンス（ＣＮＩ、ネットワークスライス又はネットワークスライスインスタンスとも称する）２０５及び第２のコアネットワークインスタンス（ＣＮＩ）２０６を備える。
【００１６】
通常、ネットワークスライスが展開されると、ネットワーク機能（ＮＦ）がインスタンス化されるか、又は（インスタンス化済みの場合）、参照によってネットワークスライスインスタンス（ＮＳＩ）を構成し、ネットワークスライスインスタンスに属するネットワーク機能がネットワークスライスインスタンス識別情報で設定される。
【００１７】
ネットワークスライスインスタンス２０５、２０６は、同じスライスサービスタイプ（ＳＳＴ）及び同じスライスディファレンシエータ（ＳＤ）であってもよい。ネットワークスライスインスタンス識別情報は、同じスライスサービスタイプ及び同じスライスディファレンシエータのネットワークスライスインスタンスを区別することができる。
【００１８】
例えば、コアネットワーク２０４のオペレータは、顧客の区別（例えば、異なるユーザクラス）等の様々な目的で、何らかのネットワークサービスを提供している同じ企業（例えば、図２に「ビデオストリーム」と示すビデオストリーミング企業）にネットワークスライスインスタンス２０５、２０６を提供するようにしてもよい。例えば、第１の組のＵＥ２０１がネットワークサービスの通常ユーザのＵＥであり、第２の組のＵＥ２０２がネットワークサービスの特別ユーザのＵＥである。複数のネットワークスライスインスタンスを有する別の目的として、例えば負荷分散（すなわち、単一のネットワークスライスインスタンスの過負荷の回避）が挙げられる。このような例において、ネットワークスライスインスタンス２０５、２０６のスライスタイプは、ｅＭＢＢ（モバイルブロードバンド）であってもよく、スライスディファレンシエータは、企業の名称（この例では「ビデオストリーム」）であってもよい。
【００１９】
ネットワークスライスインスタンス２０５、２０６は、例えばコアネットワーク２０４及びＲＡＮ２０３を介してＵＥ２０１、２０２にビデオコンテンツを提供する「ビデオストリーム」サーバ２０９を含むインターネット２０８にＵＥ２０１、２０２を接続する。
【００２０】
各ネットワークスライスインスタンス２０５、２０６は、ネットワークスライスインスタンス識別情報を有しており、この例ではＣＮＳＩ−ＩＤ（コアネットワークスライスインスタンス識別情報）である。
【００２１】
複数のネットワークスライスインスタンスの場合は、複数のネットワークスライスインスタンス間で共有されるネットワーク機能（ＮＦ）が存在していてもよい。上の例では、ＡＭＦ２０７（例えば、ＡＭＦ１０６に対応）がネットワークスライスインスタンス２０５、２０６によって共有される。ＬＴＥ（ロングタームエボリューション）及びコアネットワーク２０４としてＥＰＣ（発展型パケットコア）の場合、ＡＭＦ１０６は、ＭＭＥ（モビリティ管理エンティティ）であってもよい。
【００２２】
このような使用事例に対応するとともに、（例えば、ＲＡＮ２０３、ＵＥ２０１、２０２、又は他のＮＦによって）ネットワークスライスインスタンスに存在する適当なＡＭＦ等のＮＦを選択するため、ネットワークスライスインスタンスのＡＭＦ２０７等のＮＦ（例えば、ＳＭＦ及びＵＰＦ）は、属するネットワークスライスインスタンスのＣＮＳＩ−ＩＤすなわち対応すべきネットワークスライスインスタンスのＣＮＳＩ−ＩＤを把握している必要がある。したがって、１つ又は複数のＮＦ（例えば、ＡＭＦ２０７）が（特定の時点において）対応すべきＣＮＳＩ−ＩＤで設定されるメカニズムが必要となる。
【００２３】
図３は、１つ又は複数のネットワーク機能に対して、それぞれのネットワークスライスインスタンスを通知する手法であり、言い換えると、１つ又は複数のネットワーク機能をネットワークスライスインスタンスと関連付ける手法を示した流れ図３００である。
【００２４】
このフローは、ＵＥ３０１、ＲＡＮ３０２、コアネットワークスライスインスタンス（ＣＮＳＩ）３０３（例えば、ＵＥ２０１、２０２、ＲＡＮ２０３のうちの１つ及びコアネットワークスライスインスタンス２０５、２０６の一方に対応）の他、ＮＲＦ（ネットワーク保存機能）３０４及びＯＳＳ／ＢＳＳシステム（オペレーションサポートシステム／ビジネスサポートシステム）３０５を備えた無線通信システムにて行われる。
【００２５】
ＯＳＳ／ＢＳＳシステム３０５は、サービス管理機能（ＳｅｒＭＦ：Ｓｅｒｖｉｃｅ  Ｍａｎａｇｅｍｅｎｔ  Ｆｕｎｃｔｉｏｎ）３０６及びネットワークスライス管理機能（ＮＳＭＦ）３０７を含む。
【００２６】
ＵＥ３０１、ＲＡＮ３０２、ＣＮＳＩ３０３、及びＮＲＦ３０４は、（例えば、５Ｇの）ＲＡＮ及びＣＮドメイン３０８に属しているように見え、ＯＳＳ／ＢＳＳシステム３０５は、ＯＡＭ（オペレーション運営及び管理）ドメイン３０９に属しているように見える。
【００２７】
以下にフローを説明する。
【００２８】
３１１において、サービス管理機能（ＳｅｒＭＦ）３０６は、企業「Ｘ」のＭＢＢサービスを提供するネットワークスライスを要求する。
【００２９】
３１２において、ＮＳＭＦ３０７は、ネットワークスライス３０３をインスタンス化して、当該ネットワークスライス３０３の識別情報ＯＡＭ−ＮＳＩ−ＩＤ＃１を生成する。ＮＳＭＦ３０７は、ＳＳＴ及びＳＤに対するＯＡＭ−ＮＳＩ−ＩＤの関係を第１の表３２０の形態で格納する。
【００３０】
３１３において、ＮＳＭＦ３０７は、ネットワークスライス３０３に必要なＮＦ３１０をインスタンス化する。
【００３１】
３１４のオプションａ（ＯＡＭ経由）において、ＮＳＭＦ３０７は、ＮＲＦ３０４に対して、例えば関係ＯＡＭ−ＮＳＩ−ＩＤ＃１→［ＡＭＦ１、ＳＭＦ１、ＵＰＦ１］の形態で、新しいネットワーク機能３１０及び対応するＯＡＭ−ＮＳＩ−ＩＤを報知する。
【００３２】
ＮＲＦ３０４は、ＮＦとそれらが属するＯＡＭ−ＮＳＩ−ＩＤ、対応するＣＮＳＩ−ＩＤ並びにＳＳＴ及びＳＤとの関係を第２の表３２１の形態で格納する。そして、ＮＦ３１０に対して、ＣＮＳＩ−ＩＤ＃１により対応することになるＣＮＳＩを報知するようにしてもよい。
【００３３】
３１４のオプションｂにおいて、ネットワーク機能３１０（ＳＭＦ、ＡＭＦ、ＵＰＦ）はそれぞれ、ＮＲＦ３０４に対して、その可用性及び能力を報知する。ＮＲＦ３０４は、ＣＮＳＩ−ＩＤを有するネットワーク機能３０１に対して、当該ネットワーク機能３１０が（ＣＮＳＩ−ＩＤ＃１）に属する旨を応答する。
【００３４】
言い換えると、この例において、ＮＲＦ３０４は、ＮＦ３１０に対して、（ＣＮＳＩ−ＩＤにより）対応することになるＣＮＳＩを報知する。或いは、ＮＦ３１０のうちの１つ又は複数（例えば、ＡＭＦ）がＮＦ３１０のうちの１つにより、それぞれが対応することになるＣＮＳＩを報知されるようになっていてもよい。例えば、ＳＭＦ又はＵＰＦ等、ＮＦ３１０のうちの１つ（それ自体が対応することになるＣＮＳＩをＮＲＦにより報知される）は、ＡＭＦに対して、ＮＦが生成済みであり、ＮＦが対応するＣＮＳＩにＡＭＦが対応することになる旨を報知するようにしてもよい。このため、ＡＭＦとＳＭＦとの間の相互インターフェースを介して、対応するＣＮＳＩに関する情報が送信されるようになっていてもよい。
【００３５】
図４は、別のネットワークスライスインスタンスが生成された場合の図３のフローの続きを示した流れ図４００すなわち別のネットワークスライスインスタンスの１つ又は複数のネットワーク機能に対して、それぞれのネットワークスライスインスタンスを通知する流れ図４００である。
【００３６】
図３と同様に、このフローは、（ＲＡＮ及びＣＮドメイン４０８の）ＵＥ４０１、ＲＡＮ４０２、第１のコアネットワークスライスインスタンス４０３（図３のＣＮＳＩ３０３に対応）、別の第２のコアネットワークスライスインスタンス４１１、及びＮＲＦ４０４、並びに（ＯＡＭドメイン４０９の）ＯＳＳ／ＢＳＳシステム４０５を備え、ＯＳＳ／ＢＳＳシステム４０５がサービス管理機能４０６及びネットワークスライス管理機能４０７を含む、無線通信システムにて行われる。
【００３７】
４１５において、第１のＣＮＳＩ４０３と同じスライスタイプ（ＭＢＢ）を有するとともに同じ企業（「Ｘ」）に対する第２のＣＮＳＩ４１１は、ＳｅｒＭＦ４０６による生成が求められる。
【００３８】
４１６において、ＮＳＭＦ４０７は、第２のＣＮＳＩ４１１をインスタンス化して、当該第２のＣＮＳＩ４１１の識別情報ＯＡＭ−ＮＳＩ−ＩＤ＃２を生成する。ＮＳＭＦ４０７は、ＳＳＴ及びＳＤに対するＯＡＭ−ＮＳＩ−ＩＤの関係を第１の表４２０の形態で格納する。
【００３９】
４１７において、この例では、対応するポリシーのため、第１のＣＮＳＩ４０３のＡＭＦ４１０を第２のＣＮＳＩ４１１に再利用可能であるものとＮＳＭＦ４０７が判定する。したがって、第２のＣＮＳＩ４１１に対しては、ＳＭＦ４１２及びＵＰＦ４１３のみがインスタンス化される。
【００４０】
４１８のオプションａ（ＯＡＭ経由）において、ＮＳＭＦ４０７は、ＮＲＦ４０４に対して、例えば関係ＯＡＭ−ＮＳＩ−ＩＤ＃２→［ＡＭＦ１、ＳＭＦ２、ＵＰＦ２］の形態で、新しいネットワーク機能４１２、４１３及び対応するＯＡＭ−ＮＳＩ−ＩＤを報知する。
【００４１】
ＮＲＦ４０４は、ＮＦとそれらが属するＯＡＭ−ＮＳＩ−ＩＤ、対応するＣＮＳＩ−ＩＤ並びにＳＳＴ及びＳＤとの関係を第２の表４２１の形態で格納する。
【００４２】
４１８のオプションｂにおいて、ＳＭＦ４１２、ＵＰＦ４１３、及びＡＭＦ４１０は、ＮＲＦ４０４に対して、それぞれの可用性及び能力を報知する。これに応答して、ＮＲＦ４０４は、ＳＭＦ４１２、ＵＰＦ４１３、及びＡＭＦ４１０に対して、ＣＮＳＩ−ＩＤ（ＣＮＳＩ−ＩＤ＃２）を有するネットワークスライスインスタンスに対応すべきことを通知する。
【００４３】
図３の状況と同様に、ＮＦ４１２、４１３の一方が別のＮＦ４１２、４１３又はＡＭＦ４１０に対して、第２のＣＮＳＩ４１１に対応すべきことを報知するようにしてもよい。
【００４４】
図５は、３１４及び４１８のオプションａについて、より詳細な図３及び図４のフローの一例を示している。
【００４５】
このフローは、ＵＥ５０１（ＵＥ３０１、４０１に対応）、ＲＡＮ５０２（ＲＡＮ３０２、４０２に対応）、ＡＭＦ５０３（ＡＭＦ３１０、４１０に対応）、ネットワークスライス選択機能（ＮＳＳＦ）５０４、ＮＳＭＦ５０５（ＮＳＭＦ３０７、４０７に対応）、ＮＲＦ５０６（ＮＲＦ３０４、４０４に対応）、ＳｅｒＭＦ５０７（ＳｅｒＭＦ３０６、４０６に対応）、第１のＳＭＦ５０８（第１のＣＮＳＩ３０３、４０３のＳＭＦに対応）、及び第２のＳＭＦ５０９（第２のＣＮＳＩ４１１のＳＭＦに対応）間で行われる。
【００４６】
５１０において、ＳｅｒＭＦ５０７は、ネットワークスライスインスタンスの生成のためのサービスリクエストをＮＳＭＦ５０５に送信する。これには、ＳＳＴ及びＳＤ並びにサービスレベルアグリーメント（ＳＬＡ：Ｓｅｒｖｉｃｅ  Ｌｅｖｅｌ  Ａｇｒｅｅｍｅｎｔ）の指定を含んでいてもよい。
【００４７】
５１１において、ＮＳＭＦ５０５は、ネットワークスライスをインスタンス化して、当該ネットワークスライスインスタンスのＯＡＭ−ＮＳＩ−ＩＤ（ＯＡＭ−ＮＳＩ−ＩＤ＃１）を生成する。
【００４８】
５１２において、ＮＳＭＦ５０５は、ネットワークスライスインスタンスに必要な１つ又は複数のネットワーク機能をインスタンス化する。
【００４９】
５１３においては、３１４のオプションａに従って、ＮＳＭＦ５０５がＮＲＦ５０６に対して、インスタンス化された１つ又は複数のネットワーク機能の可用性及びそれぞれのＯＡＭ−ＮＳＩ−ＩＤ＃１との関係を報知する。
【００５０】
５１４において、ＮＲＦは、ネットワークスライスインスタンス（ＣＮＳＩ−ＩＤ＃１）の新しいＣＮＳＩ−ＩＤ（ＣＮＳＩ−ＩＤ＃１）を生成し、第１の表５３０においてＯＡＭ−ＮＳＩ−ＩＤ＃１と関連付ける。
【００５１】
５１５において、ＮＲＦ５０６は、５１３のＮＦ可用性通知を認める。このＡＣＫメッセージにおいて、ＮＲＦは、ＣＮＳＩ−ＩＤ＃２を含んでいてもよい。
【００５２】
５１６ａにおいて、ＡＭＦ５０３は、ＮＦ登録リクエストをＮＲＦ５０６に送信する。これには、ＮＦ能力情報及び対応ネットワークスライス選択支援情報（例えば、ＳＳＴ及びＳＤのリスト）を含んでいてもよい。ＡＭＦは、ＮＳＭＦによりインスタンス化された場合、このＮＳＳＡＩで設定されるようになっていてもよい。
【００５３】
５１７ａにおいて、ＮＲＦは、ＡＭＦ５０３が属する（すなわち、関連付けられた）ＣＮＳＩ−ＩＤを示すＮＦ登録応答で応答する。
【００５４】
５１６ａ及び５１７ａは、ＡＭＦ５０３にそのＣＮＳＩ−ＩＤを通知するプル手法と見ることができる。類似のプルメカニズムを第１のＳＭＦ５０８等のＮＦ（例えば、ＵＰＦ）が用いて、それぞれのＣＮＳＩ−ＩＤに関する情報を取得するようにしてもよい。
【００５５】
５１６ａ及び５１７ａの代替として、５１６ｂ及び５１７ｂにおいては、プッシュ手法が用いられるようになっていてもよい。
【００５６】
具体的に、５１７ｂにおいては、ＣＮＳＩ−ＩＤ＃１を有するＣＮＳＩにＡＭＦ５０３が対応することになる旨を示す対応ＣＮＳＩ通知をＮＲＦ５０６がＡＭＦ５０３に送信し、５１８ｂにおいては、ＡＭＦ５０３がこの通知を認める。
【００５７】
類似のプッシュメカニズムを第１のＳＭＦ５０８等のＮＦ（例えば、ＵＰＦ）に用いて、それぞれのＣＮＳＩ−ＩＤに関する情報を提供するようにしてもよい。
【００５８】
５１８において、別の（第２の）ＣＮＳＩを生成するため、ＳｅｒＭＦ５０７は、ネットワークスライスインスタンスの生成のためのサービスリクエストをＮＳＭＦ５０５に再度送信する。これには、ＳＳＴ及びＳＤ並びにサービスレベルアグリーメント（ＳＬＡ：Ｓｅｒｖｉｃｅ  Ｌｅｖｅｌ  Ａｇｒｅｅｍｅｎｔ）の指定を含んでいてもよい。
【００５９】
５１９において、ＮＳＭＦ５０５は再度、ネットワークスライスをインスタンス化して、当該第２のネットワークスライスインスタンスのＯＡＭ−ＮＳＩ−ＩＤ（ＯＡＭ−ＮＳＩ−ＩＤ＃２）を生成する。
【００６０】
５２０において、ＮＳＭＦ５０５は、第２のネットワークスライスインスタンスに必要な１つ又は複数のネットワーク機能をインスタンス化する。
【００６１】
５２１においては、３１４のオプションａに従って、ＮＳＭＦ５０５がＮＲＦ５０６に対して、インスタンス化された１つ又は複数のネットワーク機能の可用性及びそれぞれのＯＡＭ−ＮＳＩ−ＩＤ＃２との関係を報知する。
【００６２】
５２２において、ＮＲＦは、ネットワークスライスインスタンス（ＣＮＳＩ−ＩＤ＃２）の新しいＣＮＳＩ−ＩＤ（ＣＮＳＩ−ＩＤ＃２）を生成し、第２の表５３１においてＯＡＭ−ＮＳＩ−ＩＤ＃２と関連付ける（第１の表５３０の更新）。
【００６３】
５２３において、ＮＲＦ５０６は、５２１のＮＦ可用性通知を認める。このＡＣＫメッセージにおいて、ＮＲＦは、ＣＮＳＩ−ＩＤ＃２を含んでいてもよい。
【００６４】
５２４ａにおいて、ＡＭＦ５０３は、ＮＦ登録リクエストをＮＲＦ５０６に送信する。これには、ＮＦ能力情報及び対応ネットワークスライス選択支援情報（例えば、ＳＳＴ及びＳＤのリスト）を含んでいてもよい。ＡＭＦは、ＮＳＭＦによりインスタンス化された場合、このＮＳＳＡＩで設定されるようになっていてもよい。
【００６５】
５２５ａにおいて、ＮＲＦは、ＡＭＦ５０３が属する（すなわち、関連付けられた）ＣＮＳＩ−ＩＤを示すＮＦ登録応答で応答する。
【００６６】
５２４ａ及び５２５ａは、ＡＭＦ５０３にそのＣＮＳＩ−ＩＤを通知するプル手法と見ることができる。類似のプルメカニズムを第２のＳＭＦ５０９等のＮＦ（例えば、ＵＰＦ）が用いて、それぞれのＣＮＳＩ−ＩＤに関する情報を取得するようにしてもよい。
【００６７】
５２４ａ及び５２５ａの代替として、５２４ｂ及び５２５ｂにおいては、プッシュ手法が用いられるようになっていてもよい。
【００６８】
具体的に、５２５ｂにおいては、ＣＮＳＩ−ＩＤ＃２を有するＣＮＳＩにＡＭＦ５０３が対応することになる旨を示す対応ＣＮＳＩ通知をＮＲＦ５０６がＡＭＦ５０３に送信し、５２５ｂにおいては、ＡＭＦ５０３がこの通知を認める。
【００６９】
類似のプッシュメカニズムを第２のＳＭＦ５０９等のＮＦ（例えば、ＵＰＦ）に用いて、それぞれのＣＮＳＩ−ＩＤに関する情報を提供するようにしてもよい。
【００７０】
図６は、３１４及び４１８のオプションｂについて、より詳細な図３及び図４のフローの一例を示している。
【００７１】
図５と同様に、このフローは、ＵＥ６０１（ＵＥ３０１、４０１に対応）、ＲＡＮ６０２（ＲＡＮ３０２、４０２に対応）、ＡＭＦ６０３（ＡＭＦ３１０、４１０に対応）、ネットワークスライス選択機能（ＮＳＳＦ）６０４、ＮＳＭＦ６０５（ＮＳＭＦ３０７、４０７に対応）、ＮＲＦ６０６（ＮＲＦ３０４、４０４に対応）、ＳｅｒＭＦ６０７（ＳｅｒＭＦ３０６、４０６に対応）、第１のＳＭＦ６０８（第１のＣＮＳＩ３０３、４０３のＳＭＦに対応）、及び第２のＳＭＦ６０９（第２のＣＮＳＩ４１１のＳＭＦに対応）間で行われる。
【００７２】
６１０において、ＳｅｒＭＦ６０７は、ネットワークスライスインスタンスの生成のためのサービスリクエストをＮＳＭＦ６０５に送信する。これには、ＳＳＴ及びＳＤ並びにサービスレベルアグリーメント（ＳＬＡ：Ｓｅｒｖｉｃｅ  Ｌｅｖｅｌ  Ａｇｒｅｅｍｅｎｔ）の指定を含んでいてもよい。
【００７３】
６１１において、ＮＳＭＦ６０５は、ネットワークスライスをインスタンス化して、当該ネットワークスライスインスタンスのＯＡＭ−ＮＳＩ−ＩＤ（ＯＡＭ−ＮＳＩ−ＩＤ＃１）を生成する。
【００７４】
６１２において、ＮＳＭＦ６０５は、ネットワークスライスインスタンスに必要な１つ又は複数のネットワーク機能をインスタンス化する。
【００７５】
６１３において、ＮＳＭＦ６０５は、ＯＡＭ−ＮＳＩ−ＩＤ＃１を有するネットワークスライスインスタンスにＡＭＦ６０３が対応することになる旨を示すＮＦ能力更新をＡＭＦ６０３に送信する。
【００７６】
６１４において、ＮＳＭＦ６０５は、ＯＡＭ−ＮＳＩ−ＩＤ＃１を有するネットワークスライスインスタンスに第１のＳＭＦ６０８が対応することになる旨を示すＮＦ能力更新を第１のＳＭＦ６０８に送信する。
【００７７】
６１５においては、３１４のオプションｂに従って、ＯＡＭ−ＮＳＩ−ＩＤ＃１を有するネットワークスライスインスタンスに対応する旨を示すＮＦ登録リクエストをＡＭＦ６０３がＮＲＦ６０６に送信する。
【００７８】
６１６においては、３１４のオプションｂに従って、ＯＡＭ−ＮＳＩ−ＩＤ＃１を有するネットワークスライスインスタンスに対応する旨を示すＮＦ登録リクエストを第１のＳＭＦ６０８がＮＲＦ６０６に送信する。
【００７９】
６１７において、ＮＲＦ６０６は、ネットワークスライスインスタンスの新しいＣＮＳＩ−ＩＤ（ＣＮＳＩ−ＩＤ＃１）を生成し、ＯＡＭ−ＮＳＩ−ＩＤ＃１と関連付けて、第１の表６３０に格納する。
【００８０】
６１８においては、３１４のオプションｂに従って、ネットワークスライスインスタンスＣＮＳＩ−ＩＤ＃１と関連付けられた旨をＮＲＦ６０６が第１のＳＭＦ６０８に通知する。
【００８１】
６１９においては、３１４のオプションｂに従って、ネットワークスライスインスタンスＣＮＳＩ−ＩＤ＃１と関連付けられた旨をＮＲＦ６０６がＡＭＦ６０３に通知する。
【００８２】
６２０において、ＳｅｒＭＦ６０７は、ネットワークスライスインスタンスの生成のためのサービスリクエストをＮＳＭＦ６０５に送信する。これには、ＳＳＴ及びＳＤ並びにサービスレベルアグリーメント（ＳＬＡ：Ｓｅｒｖｉｃｅ  Ｌｅｖｅｌ  Ａｇｒｅｅｍｅｎｔ）の指定を含んでいてもよい。
【００８３】
６２１において、ＮＳＭＦ６０５は、ネットワークスライスをインスタンス化して、当該ネットワークスライスインスタンスのＯＡＭ−ＮＳＩ−ＩＤ（ＯＡＭ−ＮＳＩ−ＩＤ＃２）を生成する。
【００８４】
６２２において、ＮＳＭＦ６０５は、ネットワークスライスインスタンスに必要な１つ又は複数のネットワーク機能をインスタンス化する。
【００８５】
６２３において、ＮＳＭＦ６０５は、ＯＡＭ−ＮＳＩ−ＩＤ＃２を有するネットワークスライスインスタンスにＡＭＦ６０３が対応することになる旨を示すＮＦ能力更新をＡＭＦ６０３に送信する。
【００８６】
６２４において、ＮＳＭＦ６０５は、ＯＡＭ−ＮＳＩ−ＩＤ＃２を有するネットワークスライスインスタンスに第２のＳＭＦ６０９が対応することになる旨を示すＮＦ能力更新を第２のＳＭＦ６０９に送信する。
【００８７】
６２５においては、３１４のオプションｂに従って、ＯＡＭ−ＮＳＩ−ＩＤ＃２を有するネットワークスライスインスタンスに対応する旨を示すＮＦ登録リクエストをＡＭＦ６０３がＮＲＦ６０６に送信する。
【００８８】
６２６においては、３１４のオプションｂに従って、ＯＡＭ−ＮＳＩ−ＩＤ＃２を有するネットワークスライスインスタンスに対応する旨を示すＮＦ登録リクエストを第２のＳＭＦ６０９がＮＲＦ６０６に送信する。
【００８９】
６２７において、ＮＲＦ６０６は、ネットワークスライスインスタンスの新しいＣＮＳＩ−ＩＤ（ＣＮＳＩ−ＩＤ＃２）を生成し、ＯＡＭ−ＮＳＩ−ＩＤ＃２と関連付けて、第２の表６３１に格納する（第１の表６３０の更新）。
【００９０】
６２９においては、３１４のオプションｂに従って、ネットワークスライスインスタンスＣＮＳＩ−ＩＤ＃２と関連付けられた旨をＮＲＦ６０６が第２のＳＭＦ６０９に通知する。
【００９１】
６２８においては、３１４のオプションｂに従って、ネットワークスライスインスタンスＣＮＳＩ−ＩＤ＃２と関連付けられた旨をＮＲＦ６０６がＡＭＦ６０３に通知する。
【００９２】
図３の手法においては、ＯＡＭドメイン３０９がネットワークスライス識別情報ＯＡＭ−ＮＳＩ−ＩＤを使用し、ＲＡＮ及びＣＮドメイン３０８が別のネットワークスライス識別情報ＣＮＳＩ−ＩＤを使用する。これは、衝突回避のためにコアネットワークが複数のＯＳＳ／ＢＳＳシステムによりカバーされている場合に望ましいと考えられる。
【００９３】
図７は、１つ又は複数のネットワーク機能に対して、それぞれのネットワークスライスインスタンスを通知する手法であり、ＲＡＮ及びＣＮドメイン並びにＯＡＭドメインが同じ識別情報を使用する、手法を示した流れ図７００である。これは、ＣＮドメイン及びＯＡＭドメインと同じネットワークスライスインスタンスの識別情報をＲＡＭも使用可能な場合を除外しない。
【００９４】
図３と同様に、このフローは、ＵＥ７０１、ＲＡＮ７０２、コアネットワークスライスインスタンス（ＣＮＳＩ）７０３（例えば、ＵＥ２０１、２０２、ＲＡＮ２０３のうちの１つ及びコアネットワークスライスインスタンス２０５、２０６の一方に対応）の他、ＮＲＦ（ネットワーク保存機能）７０４及びＯＳＳ／ＢＳＳシステム（オペレーションサポートシステム／ビジネスサポートシステム）７０５を備えた無線通信システムにて行われる。
【００９５】
ＯＳＳ／ＢＳＳシステム７０５は、サービス管理機能（ＳｅｒＭＦ：Ｓｅｒｖｉｃｅ  Ｍａｎａｇｅｍｅｎｔ  Ｆｕｎｃｔｉｏｎ）７０６及びネットワークスライス管理機能（ＮＳＭＦ）７０７を含む。
【００９６】
ＵＥ７０１、ＲＡＮ７０２、ＣＮＳＩ７０３、及びＮＲＦ７０４は、（例えば、５Ｇの）ＲＡＮ及びＣＮドメイン７０８に属しているように見え、ＯＳＳ／ＢＳＳシステム７０５は、ＯＡＭ（オペレーション運営及び管理）ドメイン７０９に属しているように見える。
【００９７】
以下にフローを説明する。
【００９８】
７１１において、サービス管理機能（ＳｅｒＭＦ）７０６は、企業「Ｘ」のＭＢＢサービスを提供するネットワークスライスを要求する。
【００９９】
７１２において、ＮＳＭＦ７０７は、ネットワークスライス７０３をインスタンス化して、当該ネットワークスライス７０３の識別情報ＣＮＳＩ−ＩＤ＃１を生成する。ＮＳＭＦ７０７は、ＳＳＴ及びＳＤに対するＣＮＳＩ−ＩＤの関係を第１の表７２０の形態で格納する。
【０１００】
７１３において、ＮＳＭＦ７０７は、ネットワークスライス７０３に必要なＮＦ７１０をインスタンス化する。さらに、ＮＳＭＦ７０７は、対応するネットワークスライスの識別情報として、ＣＮＳＩ−ＩＤ＃１でＮＦ７１０を設定する。
【０１０１】
言い換えると、この例において、ＮＳＭＦ７０７（すなわち、ＯＡＭドメイン）は、ＮＦ７１０に対して、（ＣＮＳＩ−ＩＤにより）対応することになるＣＮＳＩを報知する。或いは、ＮＦ７１０のうちの１つ又は複数（例えば、ＡＭＦ）がＮＦ７１０のうちの１つにより、それぞれが対応することになるＣＮＳＩを報知されるようになっていてもよい。例えば、ＳＭＦ又はＵＰＦ等、ＮＦ７１０のうちの１つ（それ自体が対応することになるＣＮＳＩをＮＳＭＦにより報知される）は、ＡＭＦに対して、ＮＦが生成済みであり、ＮＦが対応するＣＮＳＩにＡＭＦが対応することになる旨を報知するようにしてもよい。このため、ＡＭＦとＳＭＦとの間の相互インターフェースを介して、対応するＣＮＳＩに関する情報が送信されるようになっていてもよい。
【０１０２】
７１４のオプションａ（ＯＡＭ経由）において、ＮＳＭＦ７０７は、ＮＲＦ７０４に対して、例えば関係ＡＭＦ１→ＣＮＳＩ−ＩＤ＃１、ＳＭＦ→ＣＮＳＩ−ＩＤ＃１、ＵＰＦ１→ＣＮＳＩ−ＩＤ＃１の形態で、新しいネットワーク機能７１０及び対応するＣＮＳＩ−ＩＤを報知する。
【０１０３】
ＮＲＦ７０４は、ＮＦとそれらが属するＣＮＳＩ−ＩＤ、並びにＳＳＴ及びＳＤとの関係を第２の表７２１の形態で格納する。そして、ＮＦ７１０に対して、ＣＮＳＩ−ＩＤ＃１により対応することになるＣＮＳＩを報知するようにしてもよい。
【０１０４】
７１４のオプションｂにおいて、ネットワーク機能７１０（ＳＭＦ、ＡＭＦ、ＵＰＦ）はそれぞれ、ＮＲＦ７０４に対して、その可用性及び能力（例えば、対応するネットワークスライスタイプ及びＣＮＳＩ−ＩＤ）を報知する。
【０１０５】
図８は、別のネットワークスライスインスタンスが生成された場合の図７のフローの続きを示した流れ図８００すなわち別のネットワークスライスインスタンスの１つ又は複数のネットワーク機能に対して、それぞれのネットワークスライスインスタンスを通知する流れ図８００である。
【０１０６】
図７と同様に、このフローは、（ＲＡＮ及びＣＮドメイン８０８の）ＵＥ８０１、ＲＡＮ８０２、第１のコアネットワークスライスインスタンス８０３（図７のＣＮＳＩ７０３に対応）、別の第２のコアネットワークスライスインスタンス８１１、及びＮＲＦ８０４、並びに（ＯＡＭドメイン８０９の）ＯＳＳ／ＢＳＳシステム８０５を備え、ＯＳＳ／ＢＳＳシステム８０５がサービス管理機能８０６及びネットワークスライス管理機能８０７を含む、無線通信システムにて行われる。
【０１０７】
８１５において、第１のＣＮＳＩ８０３と同じスライスタイプ（ＭＢＢ）を有するとともに同じ企業（「Ｘ」）に対する第２のＣＮＳＩ８１１は、ＳｅｒＭＦ８０６による生成が求められる。
【０１０８】
８１６において、ＮＳＭＦ８０７は、第２のＣＮＳＩ８１１をインスタンス化し、そのＯＡＭを目的として、当該第２のＣＮＳＩ８１１の識別情報ＣＮＳＩ−ＩＤ＃２を生成する。ＮＳＭＦ８０７は、ＳＳＴ及びＳＤに対するＣＮＳＩ−ＩＤの関係を第１の表８２０の形態で格納する。
【０１０９】
８１７において、この例では、対応するポリシーのため、第１のＣＮＳＩ８０３のＡＭＦ８１０を第２のＣＮＳＩ８１１に再利用可能であるものとＮＳＭＦ８０７が判定する。したがって、第２のＣＮＳＩ８１１に対しては、ＳＭＦ８１２及びＵＰＦ８１３のみがインスタンス化される。ＮＳＭＦ８０７は、ＣＮＳＩ−ＩＤ＃２を有するネットワークスライスインスタンスに対応するように、ＡＭＦ８１０、ＳＭＦ８１２、及びＵＰＦ８１３を設定する。
【０１１０】
８１８のオプションａ（ＯＡＭ経由）において、ＮＳＭＦ８０７は、ＮＲＦ８０４に対して、例えば関係ＡＭＦ１→ＣＮＳＩ−ＩＤ＃２、ＳＭＦ→ＣＮＳＩ−ＩＤ＃２、ＵＰＦ１→ＣＮＳＩ−ＩＤ＃２の形態で、新しいネットワーク機能８１２、８１３及び対応するＣＮＳＩ−ＩＤを報知する。
【０１１１】
８１８のオプションｂにおいて、ＳＭＦ８１２、ＵＰＦ８１３、及びＡＭＦ８１０は、ＮＲＦ８０４に対して、それぞれの可用性及び能力（例えば、対応するネットワークスライスタイプ及びＣＮＳＩ−ＩＤ）を報知する。
【０１１２】
ＮＲＦ８０４は、ＮＦとそれらが属するＣＮＳＩ−ＩＤ、並びにＳＳＴ及びＳＤとの関係を第２の表８２１の形態で格納する。
【０１１３】
図７の状況と同様に、ＮＦ８１２、８１３の一方が別のＮＦ８１２、８１３又はＡＭＦ８１０に対して、第２のＣＮＳＩ８１１に対応すべきことを報知するようにしてもよい。
【０１１４】
図９は、７１４及び８１８のオプションａについて、より詳細な図７及び図８のフローの一例を示している。
【０１１５】
このフローは、ＵＥ９０１（ＵＥ７０１、８０１に対応）、ＲＡＮ９０２（ＲＡＮ７０２、８０２に対応）、ＡＭＦ９０３（ＡＭＦ７１０、８１０に対応）、ネットワークスライス選択機能（ＮＳＳＦ）９０４、ＮＳＭＦ９０５（ＮＳＭＦ７０７、８０７に対応）、ＮＲＦ９０６（ＮＲＦ７０４、８０４に対応）、ＳｅｒＭＦ９０７（ＳｅｒＭＦ７０６、８０６に対応）、第１のＳＭＦ９０８（第１のＣＮＳＩ７０３、８０３のＳＭＦに対応）、及び第２のＳＭＦ９０９（第２のＣＮＳＩ８１１のＳＭＦに対応）間で行われる。
【０１１６】
９１０において、ＳｅｒＭＦ９０７は、ネットワークスライスインスタンスの生成のためのサービスリクエストをＮＳＭＦ９０５に送信する。これには、ＳＳＴ及びＳＤ並びにサービスレベルアグリーメント（ＳＬＡ：Ｓｅｒｖｉｃｅ  Ｌｅｖｅｌ  Ａｇｒｅｅｍｅｎｔ）の指定を含んでいてもよい。
【０１１７】
９１１において、ＮＳＭＦ９０５は、ネットワークスライスをインスタンス化して、当該ネットワークスライスインスタンスのＣＮＳＩ−ＩＤ（ＣＮＳＩ−ＩＤ＃１）を生成する。
【０１１８】
９１２において、ＮＳＭＦ９０５は、ネットワークスライスインスタンスに必要な１つ又は複数のネットワーク機能をインスタンス化する。
【０１１９】
９１３及び９１４において、ＮＳＭＦは、ＮＦ能力更新をＡＭＦ９０３及び第１のＳＭＦ９０８（及び、場合により、１つ又は複数の別途開始ネットワーク機能）に送信することにより、対応するネットワークスライスインスタンスのＣＮＳＩ−ＩＤ（ＣＮＳＩ−ＩＤ＃１）を報知する。
【０１２０】
９１５において、ＡＭＦ９０３は、ネットワークスライスインスタンスＣＮＳＩ−ＩＤ＃１に対応するように構成されている。
【０１２１】
９１６において、第１のＳＭＦ９０８は、ネットワークスライスインスタンスＣＮＳＩ−ＩＤ＃１に対応するように構成されている。
【０１２２】
９１７において、ＡＭＦ９０３は、９１３のＮＦ能力更新を認める。
【０１２３】
９１８において、第１のＳＭＦ９０８は、９１４のＮＦ能力更新を認める。
【０１２４】
９１９においては、７１４のオプションａに従って、ＮＳＭＦ９０５がＮＲＦ９０６に対して、インスタンス化された１つ又は複数のネットワーク機能の可用性及びそれぞれのＣＮＳＩ−ＩＤ＃１との関係を報知する。
【０１２５】
９２０において、ＮＲＦ９０６は、９１３のＮＦ可用性通知を認める。
【０１２６】
９２１において、別の（第２の）ＣＮＳＩを生成するため、ＳｅｒＭＦ９０７は、ネットワークスライスインスタンスの生成のためのサービスリクエストをＮＳＭＦ９０５に再度送信する。これには、ＳＳＴ及びＳＤ並びにサービスレベルアグリーメント（ＳＬＡ：Ｓｅｒｖｉｃｅ  Ｌｅｖｅｌ  Ａｇｒｅｅｍｅｎｔ）の指定を含んでいてもよい。
【０１２７】
９２２において、ＮＳＭＦ９０５は再度、ネットワークスライスをインスタンス化して、当該第２のネットワークスライスインスタンスのＣＮＳＩ−ＩＤ（ＣＮＳＩ−ＩＤ＃２）を生成する。
【０１２８】
９２３において、ＮＳＭＦ９０５は、第２のネットワークスライスインスタンスに必要な１つ又は複数のネットワーク機能をインスタンス化する。
【０１２９】
９２３及び９２４において、ＮＳＭＦは、ＮＦ能力更新をＡＭＦ９０３及び第２のＳＭＦ９０９（及び、場合により、１つ又は複数の別途開始ネットワーク機能）に送信することにより、対応するネットワークスライスインスタンスのＣＮＳＩ−ＩＤ（ＣＮＳＩ−ＩＤ＃２）を報知する。
【０１３０】
９２５において、ＡＭＦ９０３は、ネットワークスライスインスタンスＣＮＳＩ−ＩＤ＃２に対応するように構成されている。
【０１３１】
９２６において、第２のＳＭＦ９０９は、ネットワークスライスインスタンスＣＮＳＩ−ＩＤ＃２に対応するように構成されている。
【０１３２】
９２７において、ＡＭＦ９０３は、９２５のＮＦ能力更新を認める。
【０１３３】
９２８において、第２のＳＭＦ９０９は、９２６のＮＦ能力更新を認める。
【０１３４】
９２９においては、７１４のオプションａに従って、ＮＳＭＦ９０５がＮＲＦ９０６に対して、インスタンス化された１つ又は複数のネットワーク機能の可用性及びそれぞれのＣＮＳＩ−ＩＤ＃２との関係を報知する。
【０１３５】
９３０において、ＮＲＦ９０６は、９１３のＮＦ可用性通知を認める。
【０１３６】
図１０は、７１４及び８１８のオプションｂについて、より詳細な図７及び図８のフローの一例を示している。
【０１３７】
図９と同様に、このフローは、ＵＥ１００１（ＵＥ７０１、８０１に対応）、ＲＡＮ１００２（ＲＡＮ７０２、８０２に対応）、ＡＭＦ１００３（ＡＭＦ７１０、８１０に対応）、ネットワークスライス選択機能（ＮＳＳＦ）１００４、ＮＳＭＦ１００５（ＮＳＭＦ７０７、８０７に対応）、ＮＲＦ１００６（ＮＲＦ７０４、８０４に対応）、ＳｅｒＭＦ１００７（ＳｅｒＭＦ７０６、８０６に対応）、第１のＳＭＦ１００８（第１のＣＮＳＩ７０３、８０３のＳＭＦに対応）、及び第２のＳＭＦ１００９（第２のＣＮＳＩ８１１のＳＭＦに対応）間で行われる。
【０１３８】
１０１０において、ＳｅｒＭＦ１００７は、ネットワークスライスインスタンスの生成のためのサービスリクエストをＮＳＭＦ１００５に送信する。これには、ＳＳＴ及びＳＤ並びにサービスレベルアグリーメント（ＳＬＡ：Ｓｅｒｖｉｃｅ  Ｌｅｖｅｌ  Ａｇｒｅｅｍｅｎｔ）の指定を含んでいてもよい。
【０１３９】
１０１１において、ＮＳＭＦ１００５は、ネットワークスライスをインスタンス化して、当該ネットワークスライスインスタンスのＣＮＳＩ−ＩＤ（ＣＮＳＩ−ＩＤ＃１）を生成する。
【０１４０】
１０１２において、ＮＳＭＦ１００５は、ネットワークスライスインスタンスに必要な１つ又は複数のネットワーク機能をインスタンス化する。
【０１４１】
１０１３及び１０１４において、ＮＳＭＦは、ＮＦ能力更新をＡＭＦ１００３及び第１のＳＭＦ１００８（及び、場合により、１つ又は複数の別途開始ネットワーク機能）に送信することにより、対応するネットワークスライスインスタンスのＣＮＳＩ−ＩＤ（ＣＮＳＩ−ＩＤ＃１）を報知する。
【０１４２】
１０１５において、ＡＭＦ１００３は、ネットワークスライスインスタンスＣＮＳＩ−ＩＤ＃１に対応するように構成されている。
【０１４３】
１０１６において、第１のＳＭＦ１００８は、ネットワークスライスインスタンスＣＮＳＩ−ＩＤ＃１に対応するように構成されている。
【０１４４】
１０１７において、ＡＭＦ１００３は、１０１３のＮＦ能力更新を認める。
【０１４５】
１０１８において、第１のＳＭＦ１００８は、１０１４のＮＦ能力更新を認める。
【０１４６】
１０１９においては、７１４のオプションｂに従って、ＮＳＩ−ＩＤ＃１を有するネットワークスライスインスタンスに対応する旨を示すＮＦ登録リクエストをＡＭＦ１００３がＮＲＦ１００６に送信する。
【０１４７】
１０２０においては、７１４のオプションｂに従って、ＮＳＩ−ＩＤ＃１を有するネットワークスライスインスタンスに対応する旨を示すＮＦ登録リクエストを第１のＳＭＦ１００８がＮＲＦ１００６に送信する。
【０１４８】
１０２１において、ＮＲＦ１００６は、ＡＭＦ１００３及びＳＭＦ１００８の両者をＮＳＩ−ＩＤ＃１と関連付けて、第１の表１０４０に格納する。
【０１４９】
１０２２においては、７１４のオプションｂに従って、ＡＭＦ１００３がネットワークスライスインスタンスＣＮＳＩ−ＩＤ＃１と関連付けられた旨をＮＲＦ１００６が応答する。
【０１５０】
１０２３においては、７１４のオプションｂに従って、第１のＳＭＦ１００８がネットワークスライスインスタンスＣＮＳＩ−ＩＤ＃１と関連付けられた旨をＮＲＦ１００６が応答する。
【０１５１】
１０２４において、別の（第２の）ＣＮＳＩを生成するため、ＳｅｒＭＦ１００７は、ネットワークスライスインスタンスの生成のためのサービスリクエストをＮＳＭＦ１００５に再度送信する。これには、ＳＳＴ及びＳＤ並びにサービスレベルアグリーメント（ＳＬＡ：Ｓｅｒｖｉｃｅ  Ｌｅｖｅｌ  Ａｇｒｅｅｍｅｎｔ）の指定を含んでいてもよい。
【０１５２】
１０２５において、ＮＳＭＦ１００５は再度、ネットワークスライスをインスタンス化して、当該第２のネットワークスライスインスタンスのＣＮＳＩ−ＩＤ（ＣＮＳＩ−ＩＤ＃２）を生成する。
【０１５３】
１０２６において、ＮＳＭＦ１００５は、第２のネットワークスライスインスタンスに必要な１つ又は複数のネットワーク機能をインスタンス化する。
【０１５４】
１０２７及び１０２８において、ＮＳＭＦは、ＮＦ能力更新をＡＭＦ１００３及び第２のＳＭＦ１００９（及び、場合により、１つ又は複数の別途開始ネットワーク機能）に送信することにより、対応するネットワークスライスインスタンスのＣＮＳＩ−ＩＤ（ＣＮＳＩ−ＩＤ＃２）を報知する。
【０１５５】
１０２９において、ＡＭＦ１００３は、ネットワークスライスインスタンスＣＮＳＩ−ＩＤ＃２に対応するように構成されている。
【０１５６】
１０３０において、第２のＳＭＦ１００９は、ネットワークスライスインスタンスＣＮＳＩ−ＩＤ＃２に対応するように構成されている。
【０１５７】
１０３１において、ＡＭＦ１００３は、１０２９のＮＦ能力更新を認める。
【０１５８】
１０３２において、第２のＳＭＦ１００９は、１０２６のＮＦ能力更新を認める。
【０１５９】
１０３３においては、７１４のオプションｂに従って、ＣＮＳＩ−ＩＤ＃２を有するネットワークスライスインスタンスに対応する旨を示すＮＦ登録リクエストをＡＭＦ１００３がＮＲＦ１００６に送信する。
【０１６０】
１０３４においては、７１４のオプションｂに従って、ＣＮＳＩ−ＩＤ＃２を有するネットワークスライスインスタンスに対応する旨を示すＮＦ登録リクエストを第２のＳＭＦ１００９がＮＲＦ１００６に送信する。
【０１６１】
１０３５において、ＮＲＦ１００６は、ＡＭＦ１００３及びＳＭＦ１００９の両者をＣＮＳＩ−ＩＤ＃２と関連付けて、第２の表１０４１に格納する（第１の表１０４０の更新）。
【０１６２】
１０３６においては、７１４のオプションｂに従って、ネットワークスライスインスタンスＣＮＳＩ−ＩＤ＃２と関連付けられた旨をＮＲＦ１００６がＡＭＦ１００３に通知する。
【０１６３】
１０３７においては、７１４のオプションｂに従って、ネットワークスライスインスタンスＣＮＳＩ−ＩＤ＃２と関連付けられた旨をＮＲＦ１００６が第２のＳＭＦ１００９に通知する。
【０１６４】
ローミングの場合に対応するため、図５のシグナリングフローにおいては、５１３、５１７ａ、５１６ｂ、５２１、５２５ａ、及び５２４ｂの各シグナリングメッセージと併せて、ＰＬＭＮ−ＩＤ（公衆地上移動ネットワーク識別情報）が送信されるようになっていてもよい。或いは、３番目のステップ５１２によるＡＭＦ５０３、ＳＭＦ５０８、及びＳＭＦ５０９のインスタンス化の間、ＡＭＦ５０３、ＳＭＦ５０８、及びＳＭＦ５０９が属するＰＬＭＮ−ＩＤで設定されるようになっていてもよい。
【０１６５】
図６のシグナリングフローにおいては、ローミングの場合に対応するため、６１３、６１４、６１５、６１６、６１７、６１８、６１９、６２３、６２４、６２５、６２６、６２７、６２８、及び６２９の各シグナリングメッセージと併せて、ＰＬＭＮ−ＩＤ（公衆地上移動ネットワーク識別情報）が送信されるようになっていてもよい。或いは、３番目のステップ６１２によるＡＭＦ６０３、ＳＭＦ６０８、及びＳＭＦ６０９のインスタンス化の間、ＡＭＦ６０３、ＳＭＦ６０８、及びＳＭＦ６０９が属するＰＬＭＮ−ＩＤで設定されるようになっていてもよい。
【０１６６】
一般的には、ローミングに対応するため、（例えば、図５及び図６のフローの）ＯＡＭ−ＮＳＩ−ＩＤ及び（例えば、図９及び図１０のフローの）ＣＮＳＩ−ＩＤと併せてＰＬＭＮ−ＩＤが送信させるようになっていてもよい。
【０１６７】
ＮＳＭＦが新しいＮＷスライスをインスタンス化する場合は、異なるＮＦ群に割り当てられた複数のＣＮＳＩ−ＩＤが存在することも可能である。
【０１６８】
図１１に一例を示す。
【０１６９】
図１１は、複数のネットワークスライスインスタンス間でのネットワーク機能の共有を示した図である。
【０１７０】
この例においては、関連する第１のＲＡＮ部１１０３を有する第１のネットワークスライスインスタンス（ＮＳＩ）１１０１及び関連する第２のＲＡＮ部１１０４を有する第２のネットワークスライスインスタンス（ＮＳＩ）１１０２が存在する。
【０１７１】
第１のＮＳＩ１１０１及び第２のＮＳＩ１１０２は、共有ネットワーク機能１１０５（例えば、ＡＭＦ）を有していてもよい。
【０１７２】
第１のＮＳＩ１１０１は、ＮＳＩ固有のネットワーク機能１１０６、１１０７を有する。同様に、第２のＮＳＩ１１０２は、（ＣＮ−）ＮＳＩ固有のネットワーク機能（明示せず）を有していてもよい。
【０１７３】
ＡＭＦ１１０５に送信されたＣＮＳＩ−ＩＤは、ＮＳＩ固有のネットワーク機能１１０６、１１０７に送信されたＣＮＳＩ−ＩＤと同じであることも可能であるし、異なることも可能である。ネットワーク機能のＮＳＩ固有の部分には、例えばＳＭＦ及びＵＰＦを含み得る。
【０１７４】
ＣＮＳＩ−ＩＤをＡＭＦ１１０５、ＮＦ１１０６及び１１０７のＣＮ−ＮＳＩ固有の部分に送信する明示的なシグナリングを有することの代替として、ネットワークスライスインスタンスのインスタンス化の間に、ＡＭＦ１１０５及びＮＦ１１０６のＣＮ−ＮＳＩ固有の部分のネットワーク機能を設定することができる。
【０１７５】
図１２は、階層ＮＲＦを有するアーキテクチャにおける上述の手法の適用を示した流れ図１２００である。
【０１７６】
図４と同様に、このフローは、ＵＥ１２０１、ＲＡＮ１２０２、ネットワーク機能１２１０を有する第１のコアネットワークスライスインスタンス１２０３、ネットワーク機能１２１２を有する第２のコアネットワークスライスインスタンス１２１１、第１のＮＳＩ１２０３と第２のＮＳＩ１２１１との間で供給されるＡＭＦ１２１３、及び（ＯＡＭドメイン１２０９の）ＯＳＳ／ＢＳＳシステム１２０５を備え、ＯＳＳ／ＢＳＳシステム１２０５がサービス管理機能１２０６及びネットワークスライス管理機能１２０７を含む、無線通信システムにて行われる。
【０１７７】
単一のＮＲＦの代わりに、この例では、（ＲＡＮ及びＣＮドメイン１２０８の）グローバルＮＲＦ１２０４、（第１のＮＳＩ１２０３）の第１のＮＳＩ固有のＮＲＦ１２１４、及び（第２のＮＳＩ１２１１）の第２のＮＳＩ固有のＮＲＦ１２１５が存在する。すなわち、階層ＮＲＦが存在する。
【０１７８】
以下にフローを説明する。
【０１７９】
１２２１において、サービス管理機能（ＳｅｒＭＦ）１２０６は、企業「Ｘ」のＭＢＢサービスを提供するネットワークスライスを要求する。
【０１８０】
１２２２において、ＮＳＭＦ１２０７は、１つ又は（この例では）２つのＮＳＩ１２０３、１２１１をインスタンス化し、当該ＮＳＩ１２０３、１２１１の識別情報ＯＡＭ−ＮＳＩ−ＩＤ＃１、ＯＡＭ−ＮＳＩ−ＩＤ＃２を生成するとともに、ＮＳＩ１２０３、１２１１のネットワーク機能１２１０、１２１２、１２１３、１２１４、及び１２１５をインスタンス化する。
【０１８１】
ＮＳＭＦ１２０７は、ＳＳＴ及びＳＤに対するＯＡＭ−ＮＳＩ−ＩＤの関係を第１の表１２３０の形態で格納する。
【０１８２】
１２２３のオプションａ（ＯＡＭ経由）において、ＮＳＭＦ１２０７は、グローバルＮＲＦ１２０４に対して、例えば関係ＯＡＭ−ＮＳＩ−ＩＤ＃１→［ＮＲＦ＃１］、ＯＡＭ−ＮＳＩ−ＩＤ＃２→［ＮＲＦ＃２］の形態で、新しいネットワーク機能１２１０、１２１２、１２３及び対応するＯＡＭ−ＮＳＩ−ＩＤを報知する。
【０１８３】
１２２３のオプションｂにおいて、ＮＳＭＦ１２０７は、ＮＳＩ固有のＮＲＦ１２１４、１２１５に対して、ＮＳＩ１２０３、１２１１用に生成されているＮＦのリストを報知する。ＮＲＦ＃１及びＮＲＦ＃２はそれぞれ、例えば関係ＮＲＦ＃１→［ＡＦＭ１、ＳＭＦ１、ＵＰＦ１］、ＮＲＦ＃２→［ＡＦＭ１、ＳＭＦ２、ＵＰＦ２］の形態で、それぞれのＮＳＩ１２０３、１２１１で利用可能なＮＦのデータベースに関する第２の各表１２３１を生成する。
【０１８４】
１２２４において、グローバルＮＲＦ１２０４は、第１のＮＳＩ１２０３及び第２のＮＳＩ１２１１のＣＮＳＩ−ＩＤ（ＣＮＳＩ−ＩＤ＃１及びＣＮＳＩ−ＩＤ＃２）を生成して、ＯＡＭ−ＮＳＩ−ＩＤ＃１及びＯＡＭ−ＮＳＩ−ＩＤ＃２とそれぞれ関連付ける。グローバルＮＲＦ１２０４は、ＮＦとそれらが属するＯＡＭ−ＮＳＩ−ＩＤ、対応するＣＮＳＩ−ＩＤ並びにＳＳＴ及びＳＤとの関係を第３の表１２３２の形態で格納する。
【０１８５】
１２２５において、グローバルＮＲＦ１２０４は、第１のＮＳＩ固有のＮＲＦ１２１４に対してＣＮＳＩ−ＩＤ＃１を、第２のＮＳＩ固有のＮＲＦ１２１５に対してＣＮＳＩ−ＩＤ＃２を報知する。そして、ＮＳＩ固有のＮＲＦ１２１４、１２１５はそれぞれ、１２２６においてグローバルＮＲＦ１２０４から受信したＣＮＳＩ−ＩＤを第２の表１２３１に含む。
【０１８６】
ＮＳＭＦは、１つ又は複数のＮＳＳＭＦ（ネットワークスライスサブネット管理機能）に細分化可能であることに留意するものとする。これを図１３に示す。
【０１８７】
図１３は、ＯＳＳ／ＢＳＳシステム１３００を示している。
【０１８８】
ＯＳＳ／ＢＳＳシステム１３００は、ＳｅｒＭＦ１３０１、ＮＳＭＦ１３０２、及びＮＳＳＭＦ１３０３を含む。
【０１８９】
ＮＳＳＭＦ１３０３は、ネットワークスライスサブネット管理目的に使用可能な識別子を生成することができる。この識別子は、ＮＦで設定されていてもよい。ＮＳＳＭＦからＣＮＳＩのＮＦへの直接的なインターフェースが存在することにより、ＮＦをＣＮＳＳＩ−ＩＤ（コアネットワークスライスサブネットインスタンス識別子）で設定するようにしてもよい。この場合も、ＮＳＭＦがＮＦ又はＮＲＦを設定する同様の手法が当てはまり得る。
【０１９０】
以上から、種々実施形態によれば、図１４に示す方法が提供される。
【０１９１】
図１４は、ネットワーク機能を移動無線通信ネットワークのネットワークスライスインスタンスと関連付ける方法を示した流れ図１４００である。
【０１９２】
１４０１において、ネットワークスライス管理機能（ＮＳＭＦ）は、オペレーション運営及び管理（ＯＡＭ）用のネットワークスライスインスタンス（ＮＳＩ）の識別子を生成する。
【０１９３】
移動無線通信ネットワークは、コアネットワーク及びＯＡＭシステムを備えており、ＯＡＭシステムが、コアネットワーク中のネットワーク機能とのインターフェースを有する少なくともＮＳＭＦを含み、ネットワーク機能が、通信サービスを移動端末に提供し、コアネットワークが、ネットワーク機能と移動無線通信ネットワークのネットワークスライスインスタンスとの関係を維持するネットワーク保存機能（ＮＲＦ）をさらに含む。
【０１９４】
１４０２において、ＮＳＭＦ又はＮＲＦは、ネットワーク機能のうちの１つ又は複数の機能に対して、それぞれのネットワークスライスインスタンスとの関係を通知する。
【０１９５】
種々実施形態によれば、言い換えると、ＮＳＭＦ又はＮＲＦは、（コア）ネットワークスライスインスタンスに対応することになるネットワーク機能に対して、対応することになるネットワークスライスインスタンスの識別情報を通知する。ＯＡＭシステム及びコアネットワークは、ネットワークスライスインスタンスの同じ識別子を使用してもよいし、異なる識別子を使用してもよい。例えば、ネットワーク機能は、対応することになるネットワークスライスインスタンス、すなわち、コアネットワークすなわちコアネットワークドメイン（又は、無線アクセスネットワーク及びコアネットワークドメイン）が使用する識別情報であり、ＯＡＭシステムすなわちＯＡＭドメインによりネットワークスライスインスタンスに用いられるのと同じ識別情報であってもよいし、同じ識別情報でなくてもよい、識別情報により関連付けられるネットワークスライスインスタンスを報知される。
【０１９６】
言い換えると、例えば、ＮＳＩに存在するＡＭＦ等の（１つ又は複数の）ＮＦが対応するＣＮＳＩ−ＩＤで更新されることにより、これらのネットワーク機能は、対応するＣＮＳＩ−ＩＤを把握することができる。この更新（すなわち、それぞれの関係の通知）は、ＯＡＭシステムを介して行われるようになっていてもよいし、例えばネットワーク機能自体間の相互インターフェース（例えば、ＡＭＦに対するＮ１１インターフェースを介したＳＭＦによるトリガ）によって行われるようになっていてもよい。
【０１９７】
実施形態によれば、ＮＳＩ識別子を用いることにより、同じスライス識別情報パラメータ（すなわち、同じスライスサービスタイプ（ＳＳＴ）及び同じスライスディファレンシエータ（ＳＤ））を有する様々なネットワークスライスインスタンスからネットワークスライスインスタンス（ＮＳＩ）を選択可能であってもよい。特に、ＡＭＦは、例えば同じ企業に属する異なるクラスの顧客に対する異なる処理、負荷分散、特定のベンダーが実装するＮＳＩの選択等を目的として、特定のＮＳＩの特定のＳＭＦを選択するようにしてもよい。
【０１９８】
図１４の方法は、ネットワークスライスインスタンスの生成又は修正に応答して行われるようになっていてもよい。
【０１９９】
ネットワークスライスインスタンスを別のネットワークスライスインスタンスに加えて提供するステップを含む。
【０２００】
例えば、ネットワーク保存機能は、ネットワーク機能の発見を提供する。ＮＲＦは、例えばＮＷスライス固有のネットワーク機能でなくてもよいことに留意するものとする。ネットワークスライス選択機能は、ＮＳＩ選択を実行してもよいが、例えばＮＳＩ内でＮＦ選択を実行しないようにしてもよい。ＮＳＳＦとＲＡＮとの間に直接的なインターフェースが存在しないようにすることも可能である。
【０２０１】
例えば、ＮＷスライスのインスタンス化手順においてネットワークスライスインスタンス（ＮＳＩ）を管理する移動ネットワークのＯＡＭシステムとＣＮシステムとの間の通信方法が提供される。上記ＯＡＭシステムは、ＣＮシステムのＮＷ機能とのインターフェースを有する少なくともＮＷスライス管理機能（ＮＳＭＦ）を含む。移動ネットワークの上記ＣＮシステムは、通信サービスを移動端末に提供する一組のネットワーク機能を含む。また、ＣＮシステムは、ネットワーク保存機能（ＮＲＦ）を含む。ＮＲＦは、ネットワークにおいて利用可能なネットワーク機能とネットワークスライスインスタンスとの間の関係を維持する。上記通信方法は、
・ＮＳＭＦが、ネットワークスライスをインスタンス化し、ＯＡＭ目的でこのＮＳＩの識別子（例えば、ＯＡＭ−ＮＳＩ−ＩＤ）を生成するステップと、
・ＮＳＭＦが、ＮＲＦに対して、対応する（１つ又は複数の）ネットワーク機能及びネットワークスライス識別子（例えば、ＯＡＭ−ＮＳＩ−ＩＤ）の情報とともに、この新しいネットワークスライスを通知するステップと、
・ＮＲＦが、ＣＮシステムの新しいネットワークスライス識別子（例えば、ＣＮＳＩ−ＩＤ）を生成して、ＯＡＭシステムのネットワークスライス識別子（例えば、ＯＡＭ−ＮＳＩ−ＩＤ）と関連付けるステップと、
・ＮＲＦが、対応するＯＡＭネットワークスライス識別子及び対応するＣＮネットワークスライス識別子とともに、新しいネットワーク機能をそのデータベースに登録するステップと、
のうちの１つ又は複数を含んでいてもよい。
【０２０２】
また、ＮＲＦは、ネットワーク機能能力情報すなわちネットワーク機能の能力に関する情報を維持するようにしてもよい。能力としては、対応ＮＷスライスサービスタイプ（ＳＳＴ）及び対応スライスディファレンシエーション（ＳＤ）が可能である。新たに生成されたネットワークスライスに存在するネットワーク機能は、ＮＲＦにその能力を登録するようにしてもよい。すなわち、ネットワーク機能能力情報をＮＲＦに提供するようにしてもよい。
【０２０３】
以下、種々実施例を説明する。
【０２０４】
実施例１は、図１４に示すように、ネットワーク機能を移動無線通信ネットワークのネットワークスライスインスタンスと関連付ける方法である。
【０２０５】
実施例２は、実施例１の方法であって、識別子が、コアネットワークとＯＡＭシステムとの間で共有される識別子であり、ＮＳＭＦが、生成した識別子により、ネットワーク機能のうちの１つ又は複数に対して、それぞれのネットワークスライスインスタンスとの関係を通知する、方法である。
【０２０６】
実施例３は、実施例１の方法であって、ＮＲＦが、ネットワークスライスインスタンスの第２の識別子を生成し、第２の識別子により、ネットワーク機能のうちの１つ又は複数に対して、それぞれのネットワークスライスインスタンスとの関係を通知する、方法である。
【０２０７】
実施例４は、実施例３の方法であって、第２の識別子が、ネットワークスライスインスタンスのコアネットワークドメイン識別子である、方法である。
【０２０８】
実施例５は、実施例３又は４の方法であって、ＮＲＦが、識別子及び第２の識別子についての関係を維持する、方法である。
【０２０９】
実施例６は、実施例３〜５のいずれか１つの方法であって、ＮＲＦが、１つ又は複数のネットワーク機能の第２の識別子との関係を登録する、方法である。
【０２１０】
実施例７は、実施例１〜６のいずれか１つの方法であって、ＮＳＭＦが、ＮＲＦに対して、１つ又は複数のネットワーク機能のネットワークスライスインスタンスとの関係を通知する、方法である。
【０２１１】
実施例８は、実施例１〜７のいずれか１つの方法であって、ＮＳＭＦが、ＮＲＦに対して、ネットワークスライスインスタンスの識別子を通知する、方法である。
【０２１２】
実施例９は、実施例１〜８のいずれか１つの方法であって、１つ又は複数のネットワーク機能が、ＮＲＦに対して、それぞれの可用性及び能力を通知するステップを含む、方法である。
【０２１３】
実施例１０は、実施例９の方法であって、ＮＲＦが、それぞれの可用性及び能力の通知に応答して、ネットワーク機能のうちの１つ又は複数に対して、それぞれのネットワークスライスインスタンスとの関係を通知するステップを含む、方法である。
【０２１４】
実施例１１は、実施例１〜１０のいずれか１つの方法であって、ＮＲＦが、１つ又は複数のネットワーク機能と識別子との関係を登録する、方法である。
【０２１５】
実施例１２は、実施例１〜１１のいずれか１つの方法であって、１つ又は複数のネットワーク機能が、ネットワーク機能のうちの別の１つに対して、そのネットワークスライスインスタンスとの関係を報知する、方法である。
【０２１６】
実施例１３は、実施例１〜１２のいずれか１つの方法であって、１つ又は複数のネットワーク機能が、アクセス及びモビリティ管理機能（ＡＭＦ）、セッション管理機能（ＳＭＦ）、及びユーザプレーン機能（ＵＰＦ）のうちの１つ又は複数を含む、方法である。
【０２１７】
実施例１４は、実施例１〜１３のいずれか１つの方法であって、ＮＳＭＦが、ネットワークスライスのインスタンス化によって、ネットワークスライスインスタンスを生成するステップを含む、方法である。
【０２１８】
実施例１５は、実施例１〜１４のいずれか１つの方法であって、１つ又は複数のネットワーク機能のうちの少なくとも２つの間、ＮＳＭＦとＮＲＦとの間、ＮＳＭＦとＡＭＦとの間、ＮＳＭＦとＳＭＦとの間、又はＮＲＦとＡＭＦとの間で公衆地上移動ネットワーク識別情報を交換するステップをさらに含む、方法である。
【０２１９】
実施例１６は、実施例１〜１５のいずれか１つの方法であって、ＮＳＭＦが、ネットワークスライスインスタンスの複数の識別子を生成し、１つ又は複数のネットワーク機能が、複数のネットワーク機能群を含み、上記群の各群が、複数の識別子のうちの１つの識別子と関連付けられた、方法である。
【０２２０】
実施例１７は、実施例１〜１６のいずれか１つの方法であって、ＮＳＭＦが、同じく１つ又は複数のネットワーク機能から成るネットワークスライスインスタンスのサブネットを管理する１つ又は複数のネットワークスライスサブネット管理機能にさらに分割された、方法である。
【０２２１】
実施例１８は、実施例１７の方法であって、ネットワークスライスサブネット管理機能が、ネットワークスライスサブネットワーク識別子を生成可能であり、ネットワークスライスサブネットワーク内に存在するネットワーク機能が、明示的なシグナリング又はネットワークスライスインスタンスのインスタンス化時の設定によって設定されることになる、方法である。
【０２２２】
実施例１９は、実施例１〜１８のいずれか１つの方法であって、ＮＲＦが、グローバルＮＲＦであり、ネットワークスライスインスタンスが、ネットワークスライスインスタンス固有のＮＲＦを有し、１つ又は複数のネットワーク機能が、ネットワークスライスインスタンスのＮＲＦの通知によって、それぞれのネットワークスライスインスタンスとの関係が通知される、方法である。
【０２２３】
この方法に含まれる様々なコンポーネント（例えば、ＮＲＦ、ＮＳＦＭ等）は、例えば１つ又は複数の回路により実装されていてもよい。「回路」は、任意の種類の論理実装エンティティとして了解可能であり、メモリ、ファームウェア、又はこれらの任意の組み合わせに格納されたソフトウェアを実行する専用回路又はプロセッサであってもよい。このため、「回路」は、配線接続された論理回路又はプログラマブルプロセッサ（例えば、マイクロプロセッサ）等のプログラマブル論理回路であってもよい。また、「回路」は、ソフトウェア（例えば、任意の種類のコンピュータプログラム）を実行するプロセッサであってもよい。以下により詳しく説明する各機能のその他任意の種類の実装についても、「回路」として了解可能である。
【０２２４】
以上、特定の態様を説明したが、当業者であれば、添付の特許請求の範囲により規定される本開示の態様の主旨及び範囲から逸脱することなく、形態及び詳細の様々な変更が可能であることが了解されるものとする。この範囲は、添付の特許請求の範囲により示されるため、特許請求の範囲の均等物の意味及び範囲に含まれるすべての変更が包含されることになる。
【図１】
2019521533.tif 000003
【図２】
2019521533.tif 000004
【図３】
2019521533.tif 000005
【図４】
2019521533.tif 000006
【図５】
2019521533.tif 000007
【図６】
2019521533.tif 000008
【図７】
2019521533.tif 000009
【図８】
2019521533.tif 000010
【図９】
2019521533.tif 000011
【図１０】
2019521533.tif 000012
【図１１】
2019521533.tif 000013
【図１２】
2019521533.tif 000014
【図１３】
2019521533.tif 000015
【図１４】
2019521533.tif 000016
【国際調査報告】
2019521533.tif 000017
2019521533.tif 000018
2019521533.tif 000019